(57)【特許請求の範囲】
【請求項１】
第一のネットワーク上の情報源アドレスによって指定される情報源と、
前記情報源アドレスを出力する、第二のネットワーク上の受信側アドレスによって指定される通信手段と、
前記情報源に前記第一のネットワークを経由して接続し、
前記通信手段に第二のネットワークを経由して接続する情報処理手段とで構成される情報通信システムにおいて、
前記通信手段は、前記情報源アドレスを入力する入力手段と、
印刷装置に接続され、該印刷装置を制御する印刷制御手段を有し、
前記入力手段から入力された情報源アドレスを、前記情報処理手段に送信し、
前記情報処理手段は、前記通信手段より出力される前記情報源アドレスを受信し、該受信した情報源アドレスによって指定される情報源より情報を取得し、該情報から前記通信手段に接続された印刷装置で印刷するための情報を出力情報として生成し、
また、前記通信手段は、前記情報処理手段から送信された前記出力情報を受信し、前記出力情報を元に前記印刷制御手段にて印刷装置を制御する
ことを特徴とする情報通信システム。
【請求項２】
前記出力情報は、印刷装置を制御する制御信号を含み、前記通信手段の印刷制御手段は、前記出力情報に含まれる制御信号にもとづき前記印刷装置を制御する
ことを特徴とする請求項１に記載の情報通信システム。
【請求項３】
情報処理手段は、前記通信手段に接続されている印刷装置の対応関係を記憶する印刷装置テーブルを含み、前記通信手段が指定された際に前記印刷装置テーブルを参照して、当該印刷装置テーブルによって指定される印刷装置に対応する出力情報を生成するように構成した請求項１または２に記載の情報通信システム。
【請求項４】
情報処理手段は、予め記憶された複数の印刷装置情報を記憶する印刷装置テーブルを含み、該印刷装置テーブルに予め記憶された複数の印刷装置情報を前記通信手段に送信し、該送信した複数の印刷装置情報に基づいて選択された印刷装置指定情報を前記通信手段から受信し、該受信した印刷装置指定情報に応じて印刷装置に記憶された前記通信手段に対応する印刷装置の対応関係を変更する請求項３に記載の情報通信システム。
【請求項５】
ネットワークで接続された情報源アドレスで指定される情報源の画面情報を表示する通信端末において、
表示された画面情報の印刷要求を入力する入力手段と、
前記印刷要求にもとづき、前記画面情報の情報源アドレスと、前記通信端末を特定する情報をもとに印刷画面情報信号を生成する印刷画面情報信号生成手段と、
印刷画面情報信号を送信する印刷画面情報信号送信手段と、
ネットワークで接続された情報処理装置で生成された印刷情報信号を受信する印刷情報信号受信手段と、
前記印刷情報信号にもとづき印刷装置を制御する印刷制御手段と
を含む通信端末。
【発明の詳細な説明】
【０００１】
【発明の属する技術分野】
この発明は、ＷＷＷブラウザ機能を具備する、例えばパーソナルコンピュータ等を用いた通信端末装置に関するものであり、更に詳しくは、通信ネットワークに接続されたパーソナルコンピュータから同ネットワーク上にあるプリンタ等の出力が適切なものとすることができる情報通信システムおよび通信端末に関する。
【０００２】
【従来の技術】
近年、情報技術の進展は目覚しく、インターネットもそれら技術の進展の結果生み出されたものである。そのなかでも、ワールドワイドウェブ（Ｗｏｒｌｄ  Ｗｉｄｅ  Ｗｅｂ。以下、ＷＷＷと記す。）を使用することによって、サイト（ｓｉｔｅ）と呼ばれる情報源よりインターネット（ＷＷＷ）経由で世界中のサイトから、所望のデータを入手することができる。
【０００３】
この場合に用いられるのが、一般的にＷＷＷブラウザ（ＷＷＷ  Ｂｒｏｗｓｅｒ）と呼ばれるものである。このＷＷＷブラウザは、現在パーソナルコンピュータ（以下ＰＣと記す。）を主体に利用が進んでおり、テレビ装置にＷＷＷブラウザ機能を付加した製品等も発売されている。
【０００４】
ＷＷＷブラウザにより表示されるファイルは、主としてＨＴＭＬ（ＨｙｐｅｒＴｅｘｔ  Ｍａｒｋｕｐ  Ｌａｎｇｕａｇｅ）と呼ばれる比較的単純な構造を有するＷＷＷページを記述するための言語で構成されている。
【０００５】
このＨＴＭＬによって記述されたファイル（ＨＴＭＬファイル）の特徴としては、あるＨＴＭＬファイル内に他のＨＴＭＬファイルを参照できるようにリンク（リンク部）と呼ばれる、そのとき参照しているサイト内、あるいはそのサイト外への遷移機能を容易に設定できることがあげられる。
【０００６】
一般的なＷＷＷブラウザの場合、たとえば、ＰＣ等の画面に表示されたＨＴＭＬファイルの特定のリンク部を利用者が選択・指定すると、遷移機能が働いて、リンク部に指定された新たなＨＴＭＬファイル（次のページ）に表示が切り替わる処理が行われる。現在では、このような機能を、より便利にするための新たな製品のコンセプトも種々提案されている。
【０００７】
この一例として、特開平１１−１２２５９０号公報には、ＷＷＷブラウザ機能およびテレビ電話機能を有する装置であって、この装置に接続された計測装置から出力されたデータ（計測結果）をワイドエリアネットワークに接続されたサーバに転送するシステムが示されている。
【０００８】
図１２は上記公報に示された従来のテレビ電話装置を含むテレビ電話システムのシステム構成図である。
【０００９】
図において、６０１は公衆電話回線やＩＳＤＮやＣＡテレビ網等のワイドエリアネットワーク（Ｗｉｄｅ  Ａｒｅａ  Ｎｅｔｗｏｒｋ。以下、ＷＡＮと称す）、６０２Ａ、６０２ＣはＷＡＮ６０１にテレビ電話装置６０３Ａやリモート制御装置６０４等の機器を接続するために通信インターフェースを変換するモデムやターミナルアダプタ（Ｔｅｒｍｉｎａｌ  Ａｄａｐｔｅｒ。デジタル通信用信号変換器）＋ＤＳＵ（Ｄｉｇｉｔａｌ  Ｓｅｒｖｉｃｅ  Ｕｎｉｔ。加入者回線終端装置）やケーブルモデム等のネットワークインターフェース機器である。
【００１０】
６０３Ａはテレビ電話装置、６０４はインターネット機能とテレビ電話機能を内蔵したリモート制御装置、６０５はインターネットサービスプロバイダ、６０６はインターネット網、６０７はＷＷＷサーバである。６０８は計測機器であり、テレビ電話装置６０３Ａと接続されている。
【００１１】
次に動作について説明する。計測機器６０８が計測した出力データはテレビ電話装置６０３Ａに送られる。
【００１２】
この計測データをＷＷＷサーバ６０７へ送るために、テレビ電話装置６０３Ａに搭載されているＷＷＷブラウザ上で、ＷＷＷサーバ６０７に存在するデータ送信用の入力フォーム（ＨＴＭＬファイル）を保有するＵＲＬ（インターネット上に存在する情報資源(文書や画像など)の、インターネット上における場所を指し示す。情報の種類やサーバ名、ポート番号、フォルダ名、ファイル名等によって構成される。）を指定する。
【００１３】
ＨＴＴＰ（Ｈｙｐｅｒ  Ｔｅｘｔ  Ｔｒａｎｓｆｅｒ  Ｐｒｏｔｏｃｏｌ）によってネットワークインターフェース機器６０２Ａ、ＷＡＮ６０１、インターネットサービスプロバイダ６０５、インターネット網６０６を経由してＷＷＷサーバ６０７に対してＨＴＭＬファイルの要求が伝達される。
【００１４】
この応答としてＷＷＷサーバ６０７は、ＨＴＴＰによってインターネット網６０６、インターネットサービスプロバイダ６０５、ＷＡＮ６０１、ネットワークインターフェース機器６０２Ａを経由してテレビ電話装置６０３ＡにＨＴＭＬファイルをダウンロードする。
【００１５】
計測データがＨＴＭＬファイル中の入力フォームに自動入力された後、ＨＴＭＬファイルの要求の際と同様の経路を辿ってＷＷＷサーバ６０７へアップロードされる。この結果、ＨＴＴＰによってテレビ電話装置６０３Ａが取り込んだ計測データがＷＷＷサーバ６０７に収集される。
【００１６】
【発明が解決しようとする課題】
しかしながら、従来の装置においては、計測機器に相当するものとして、例えば、印刷装置を動作させるための専用のソフトウェア（ドライバ）が必要とされる場合が多い。
【００１７】
従って、印刷装置が変更される（交換される）たびに、専用のドライバおよびその設定が必要となり、印刷装置に応じた設定をその都度、利用者がおこなわなければならないため、当該装置の取り扱いを困難にしてしまう問題があった。
【００１８】
また、従来の装置においては、利用者から計測機器の計測データをＷＷＷサーバに送ることは可能であるが、逆に、システム構成によっては、ＷＷＷサーバかを管理するサーバ管理者から利用者に情報を送信することはできず、サーバ管理者からの情報は、利用者の情報受信の意思がなければ、伝わらないという問題点があった。
【００１９】
この発明は、上述のような問題を解決するためになされたもので、第１の目的は通信端末装置に接続される印刷装置におけるＷＷＷブラウザ表示画面の印刷を、利用者が容易におこなえる通信装置を得るものである。
【００２０】
また、第２の目的は、情報処理装置の利用者が、通信端末装置に接続した印刷装置で情報を印刷することができる通信装置を得るものである。
【００２１】
また、第３の目的は、複数の通信端末装置で、それぞれに対応した印刷装置を接続することが可能な情報処理装置を得るものである。
【００２２】
また、第４の目的は、通信端末装置の利用者が、通信端末装置に接続した印刷装置の設定を変更することが可能な通信装置を得るものである。
【００２３】
【課題を解決するための手段】
本発明に係る情報通信システムは、
第一のネットワーク上の情報源アドレスによって指定される情報源と、
前記情報源アドレスを出力する、第二のネットワーク上の受信側アドレスによって指定される通信手段と、
前記情報源に前記第一のネットワークを経由して接続し、
前記通信手段に第二のネットワークを経由して接続する情報処理手段とで構成される情報通信システムにおいて、
前記通信手段は、前記情報源アドレスを入力する入力手段と、
印刷装置に接続され、該印刷装置を制御する印刷制御手段を有し、
前記入力手段から入力された情報源アドレスを、前記情報処理手段に送信し、
前記情報処理手段は、前記通信手段より出力される前記情報源アドレスを受信し、該受信した情報源アドレスによって指定される情報源より情報を取得し、該情報から前記通信手段に接続された印刷装置で印刷するための情報を出力情報として生成し、
また、前記通信手段は、前記情報処理手段から送信された前記出力情報を受信し、前記出力情報を元に前記印刷制御手段にて印刷装置を制御する
ことを特徴とする。
【００３５】
【発明の実施の形態】
以下、この発明を、その実施の形態を示す図面に基づいて具体的に説明する。
実施の形態１．
図１はこの発明の実施の形態１である通信端末装置を含む情報処理システムのシステム構成図である。図において、１０５は第二のネットワークとしてのイーサネットなどで接続されたローカルエリアネットワーク（Ｌｏｃａｌ  ＡｒｅａＮｅｔｗｏｒｋ。以下、ＬＡＮと称す。）、１０１および１０３は通信手段としての通信端末装置、１０２および１０４はそれぞれ通信端末装置１０１および１０３に接続されている出力手段としての印刷装置、１０７は第一のネットワークとしてのインターネット網、１０６はＬＡＮ１０５とインターネット網１０７に接続している情報処理手段としての情報処理装置、１０８は情報源としてのＷＷＷサーバ（第一のネットワーク上の情報源アドレスであるＵＲＬによって指定される）である。
【００３６】
図２は、図１における通信端末装置１０１（あるいは１０３）の構成を説明する図である。ここでは、通信装置１０１について説明する。
【００３７】
図において、１０１は図１における通信端末装置であり、２０７は利用者が入力をおこなうリモコン、２０８は表示装置としてのモニタ、１０２はプリンタなどの印刷装置である。
【００３８】
２０２はブラウザ制御部２１２の情報にもとづき、ＨＴＭＬファイルの解釈、ＪＰＥＧ，ＧＩＦなどの画像ファイルの処理および、画面情報の生成をおこなうＷＷＷブラウザ部、２０３はＷＷＷブラウザ部２０２より出力された画面情報をモニタ２０８に出力する画像出力部である。
【００３９】
２０４はＬＡＮ１０５との通信をおこなう通信部、２０６はリモコンの信号を受信し入力情報を出力する入力手段、２０１はＷＷＷブラウザ部２０２、通信部２０４、印刷装置１０２を制御し、入力手段２０６から入力情報を入力するシステム部であり以下で構成される。
【００４０】
２１２はシステム制御部２１１の制御および通信制御部２１３より与えられる情報にもとづき、ＷＷＷブラウザ部２０２を制御し、かつＷＷＷブラウザ部２０２において解釈されたＨＴＭＬファイルの情報を取得し、システム制御部２１１、通信制御部２１３、印刷画面情報制御手段２１５に情報を出力するブラウザ制御部である。
【００４１】
２１３はシステム制御部２１１およびブラウザ制御部２１２の情報にもとづき、通信部２０４を制御し、通信データをシステム制御部２１１、ブラウザ制御部２１２に伝送する通信制御部である。
【００４２】
２１４はシステム制御部２１１の情報にもとづき、印刷装置１０２を制御する印刷制御手段であり、２１５はブラウザ制御部２１２の情報にもとづき、印刷画面情報信号を生成する印刷画面情報制御手段である。
【００４３】
ここで、システム制御部２１１は、入力手段２０６の情報にもとづき、ブラウザ制御部２１２、通信制御部２１３、印刷制御部２１４、印刷画面情報制御手段２１５を制御する。
【００４４】
図３は、図１における情報処理装置１０６の構成を説明する図である。図において、３０２はブラウザ制御部３１２の情報にもとづき、ＨＴＭＬファイルの解釈、ＪＰＥＧ，ＧＩＦなどの画像ファイルの処理をおこない、画面情報を生成するＷＷＷブラウザ部、３０３はインターネット網との通信をおこなうインターネット通信部、３０４はＬＡＮとの通信をおこなうＬＡＮ通信部である。
【００４５】
３０１はＷＷＷブラウザ部３０２、インターネット通信部３０３、ＬＡＮ通信部３０４を制御するシステム部であり、以下で構成される。３１２はＷＷＷブラウザ部３０２の制御をおこなうブラウザ制御部であり、３１３はインターネット通信部３０３およびＬＡＮ通信部３０４の制御をおこなう通信制御部である。
【００４６】
３１４はシステム制御部であり、ＷＷＷブラウザ部３０２で生成された画面情報をもとに印刷情報を生成する印刷情報生成手段であり、３１１はブラウザ制御部３１２、通信制御部３１３、印刷情報生成手段３１４の制御をおこなう。
【００４７】
図４は、通信端末装置１０１のモニタ２０８に表示されているインターネットホームページの表示例であり、４０１はＨＴＭＬファイルで記述された内容、４０２はいわゆるインターネットのアドレスを示すＵＲＬ、４０３は印刷ボタン、４０５は画像ファイルの表示例である。このホームページは、ＷＷＷサーバ１０８上にあり、ＨＴＭＬファイルや画像ファイルにより構成されている。
【００４８】
これらのファイルは、ＷＷＷサーバ１０８より、インターネット網１０７、情報処理装置１０６、ＬＡＮ１０５、通信端末装置１０１の通信部２０４、通信制御部２１３、ブラウザ制御部２１２を経由して、ＷＷＷブラウザ部２０２に送信される。
【００４９】
ＷＷＷブラウザ部２０２においては、ＨＴＭＬファイルの解析、画像ファイルの処理がおこなわれて画面情報を生成し、画像出力処理部２０３を経てモニタ２０８に生成された画面情報が表示される。モニタ２０８に表示されるＵＲＬ４０２、印刷ボタン４０３は、ＷＷＷブラウザ部２０２の機能により表示される。
【００５０】
次に利用者が、モニタ２０８上の印刷ボタン４０３をクリックしたときの動作について説明する。利用者はリモコン２０７により、モニタ２０８上に表示された印刷ボタン４０３を選択し、クリックする。そのとき、リモコン２０７から送られた信号を入力手段２０６が受信し、入力手段２０６はシステム制御部２１１に入力情報を送信する。
【００５１】
システム制御部２１１は、印刷ボタン４０３をクリックされたという情報をもとに、ブラウザ制御部２１２に、現在表示されているＵＲＬを、印刷画面情報制御手段２１５に送信するよう指令を送り、かつ、印刷画面情報制御手段２１５に、通信端末装置１０１を特定する情報（ＩＰアドレス）を送信する。
【００５２】
ブラウザ制御部２１２は、現在、モニタ２０８に表示しているホームページのＵＲＬ４０２を印刷画面情報制御手段２１５に送信する。
【００５３】
印刷画面情報制御手段２１５は、受信したＵＲＬおよびＩＰアドレスをもとに、印刷画面情報信号を生成し、この印刷画面情報信号をシステム制御部２１１に送信する。
【００５４】
システム制御部２１１は、印刷画面情報信号を情報処理装置１０６に送信するよう通信制御部２１３に送信し、印刷画面情報信号は通信部２０４、ＬＡＮ１０５を経由して情報処理装置１０６に送信される。
【００５５】
情報処理装置１０６では、ＬＡＮ１０５を経て、通信端末装置１０１から送信されたＵＲＬを含む印刷画面情報信号をＬＡＮ通信部３０４、通信制御部３１３を経て受信し（情報源アドレス受信工程。これらＬＡＮ通信部３０４、通信制御部３１３を含んで情報源アドレス受信手段が構成される。）、システム制御部３１１により、印刷情報生成手段３１４に供給する。
【００５６】
印刷情報生成手段３１４は、印刷画面情報信号に含まれるＵＲＬによって指定されるホームページに接続して（接続工程）、当該ホームページが有する情報をダウンロードするようにシステム制御部３１１に指示し（この印刷情報生成手段３１４を含んで接続手段が構成される）、システム制御部３１１はインターネット網１０７上にあるＷＷＷサーバ１０８から、ホームページ情報（ＨＴＭＬファイル、画像ファイル）をダウンロードする（情報取得工程。このシステム制御部３１１を含んで情報取得手段が構成される。）。
【００５７】
ダウンロードされたホームページはブラウザ制御部３１２、ＷＷＷブラウザ部３０２により、ＨＴＭＬファイルの解析、画像ファイルの処理がおこなわれ、画像情報を生成する。
【００５８】
印刷情報生成手段３１４は、生成された画像情報に基づいて、通信端末装置１０１に接続されている印刷装置１０２で印刷が行われたときに最適なレイアウトで印刷されるように処理を施し、印刷情報信号（出力情報）を生成する（出力情報生成工程。印刷情報生成手段３１４を含んで出力情報生成手段が構成される。）。
【００５９】
印刷情報生成手段３１４によって生成された印刷情報信号は、印刷画面情報信号に含まれるＩＰアドレスを有する通信情報端末１０１に向けてＬＡＮ通信部３０４によってＬＡＮ１０５を経由して送信される（出力情報送信工程。このＬＡＮ通信部３０４を含んで出力情報送信手段が構成される。）。
【００６０】
通信情報端末１０１は情報処理装置１０６から送信された印刷情報信号を受信し、システム制御部２１１は受信した印刷情報信号を印刷制御手段２１４に送信する。
【００６１】
印刷制御手段２１４は、受信した印刷情報信号に基づいて印刷装置１０２を制御し、当該装置によって印刷が実行される。
【００６２】
上記説明では、通信端末装置１０１について説明したが、通信端末装置１０３についても同様な手段により、印刷装置１０３を使用してホームページを印刷することができる。
【００６３】
実施の形態２．
図５は、この発明の実施の形態２である通信端末装置を含む情報処理システムのうちの、情報処理装置１０６の構成を説明する図であり、図３に示したものと同等または相当部分には図３と同一符号を付してその説明を省略する。
【００６４】
図において、３２１は情報処理装置１０６の利用者が印刷情報の編集などをするための入力手段としてのキーボード、３２２は利用者がデータを入力するためのフロッピーディスクドライブや光磁気ディスクなどのデータ入力手段、３２３は印刷情報を記憶しておくハードディスクなどの蓄積手段としての印刷情報記憶手段、３２４は印刷情報の編集画面や印刷情報を画面情報に変換し画像出力装置としてのモニタ３２５に当該画面情報を出力する画像出力処理部である。
【００６５】
また、本実施の形態におけるシステム構成については、図１に示したものと、通信端末装置については図２に示したものとそれぞれ同様であり、説明を省略する。
【００６６】
次に動作について説明する。情報処理装置１０６の利用者は、データ入力手段３２２より入力した画像データや、キーボード３２１より入力した情報をもとに、印刷情報の生成、編集をおこない、この生成、編集された印刷情報（送信情報）を印刷情報記憶手段３２３に記憶させる。
【００６７】
利用者がキーボード３２１より印刷確認の要求を入力したとき、システム制御部３１１は、印刷情報記憶手段３２３より当該印刷情報記憶手段３２３に記憶された印刷情報を画像出力処理部３２４に送信して、モニタ３２５上に印刷情報より構成される印刷イメージを表示するように制御する。
【００６８】
利用者が、印刷情報記憶手段３２３に記憶されている印刷情報を印刷情報通信端末装置１０１に接続されている印刷装置１０２を用いて印刷するようにキーボードからの入力（送信操作）を行った場合、システム制御部３１１は、印刷情報記憶手段３２３に記憶されている所望の印刷情報を印刷情報信号として、通信端末装置１０１に送信するように制御する（蓄積された送信情報を出力情報生成工程における出力情報として送信する。）。
【００６９】
なお、通信端末装置１０１では上記実施の形態１において説明した動作と同様の手段により、印刷装置１０２において印刷をおこなう。
【００７０】
実施の形態３．
図６はこの発明の実施の形態３である通信端末装置を含む情報処理システムのうちの、情報処理装置１０６の構成を説明する図であり、相当部分には図５と同一符号を付してその説明を省略する。図において、３３１は通信端末装置と通信端末装置に接続されている印刷装置を対応づける印刷装置テーブルを記憶する印刷装置テーブル記憶手段である。
【００７１】
また、本実施の形態におけるシステム構成については図１に示したものと、通信端末装置については図２に示したものとそれぞれ同様であり、説明を省略する。
【００７２】
図７は印刷装置テーブルを説明する図である。図において、４５１は通信端末装置１０１を特定するＩＰアドレス、４５２は通信端末装置１０１に接続される印刷装置１０２を特定する情報である。
【００７３】
次に動作について説明する。通信端末装置１０１のＩＰアドレスを、１９２．１６８．１．１０とし、接続されている印刷装置１０２をＬａｓｅｒ  ＰｒｉｎｔｅｒＸＸ−ＸＸＸＸとする（図７中、ユーザ名「サトウ」に対応する設定）。
【００７４】
通信端末装置１０１の利用者が、図４における印刷ボタン４０３をクリックすると、上記実施の形態１において説明したように、情報処理装置１０６に印刷画面情報信号が送信される。
【００７５】
印刷画面情報信号を受信した情報処理装置１０６は、実施の形態１と同様に、画面信号を生成する。
【００７６】
実施の形態１においては、印刷情報生成手段３１４により印刷情報信号が生成されたが、本実施の形態において、印刷情報生成手段３１４は、印刷装置テーブル記憶手段３３１に記憶されている印刷装置テーブル（出力手段対応テーブル）を参照し、印刷画面情報信号を送信した通信端末装置に接続されている印刷装置に最適なレイアウトで印刷されるような印刷情報信号を生成する。
【００７７】
すなわち、この場合において、印刷画面情報信号に含まれるＩＰアドレスは１９２．１６８．１．１０であるため、印刷装置テーブルのＩＰアドレス４５１中のＩＰアドレス１９２．１６８．１．１０が選択される。
【００７８】
また、接続印刷装置として、印刷装置を特定する情報（接続された印刷装置を示す情報であって、予め複数の印刷装置情報を有する。）４５２中のＬａｓｅｒ
ＰｒｉｎｔｅｒＸＸ−ＸＸＸＸが指定される。
【００７９】
そして、印刷情報生成手段３１４においては、ＩＰアドレス１９２．１６８．１．１０の通信端末装置１０１の印刷装置１０２であるＬａｓｅｒＰｒｉｎｔｅｒＸＸ−ＸＸＸＸにおいて最適なレイアウトで印刷がおこなえるような印刷情報信号を生成し、実施の形態１と同様な手順により、印刷装置１０２から印刷がおこなわれる。
【００８０】
実施の形態４．
図８は、この発明の実施の形態４である通信端末装置を含む情報処理システムのうちの、通信端末装置１０１の構成を説明する図であり、図２に示したものと同等あるいは相当部分には図２と同一符号を付してその説明を省略する。
【００８１】
図において、２２１は利用者が入力した情報と通信端末装置を特定する情報を印刷装置指定信号に変換して出力する印刷装置指定入力手段である。
【００８２】
また、図９は、本実施の形態である通信端末装置を含む情報処理システムのうちの、情報処理装置１０６の構成を説明する図であり、図６に示したものと同等あるいは相当部分には図６と同一符号を付してその説明を省略する。
【００８３】
図において、３４１はＷＷＷサーバ機能を実現するＷＷＷサーバ部であり、３４２は、ＷＷＷサーバ部３４１を制御するサーバ制御部であり、３４３は印刷装置テーブル記憶手段３３１に記憶されている印刷装置テーブル（出力手段テーブル）を変換する印刷装置テーブル変換手段である。
【００８４】
図１０は情報処理装置１０６のＷＷＷサーバ部３４１で配信されるホームページの一例であり、通信端末装置１０１において閲覧することができる。
【００８５】
図１０中の５０１は、このホームページのＵＲＬ、５０２〜５０４はラジオボタンと呼ばれる選択ボタンであり、利用者はこの選択ボタン５０２〜５０４のいずれかをクリックすることによって、例えば図１０に示すようなプリンタの選択をおこなう。
【００８６】
５０５は選択された印刷装置の設定をおこなう際にクリックする設定ボタンであり、５０６は例えば図１０に示す例ではプリンタの選択をキャンセルする際にクリックするキャンセルボタンである。
【００８７】
次に動作について説明する。通信端末装置１０１（ＩＰアドレス１９２．１６８．１．１０）の利用者が、印刷装置１０２としてＸＸＸ社○○−○○〇〇を接続した場合（例えば、これは図７に示す、ユーザ名”サトウ”（あるいはＩＰアドレス”１９２．１６８．１．１０”）に対応する接続印刷装置が”ＬａｓｅｒＰｒｉｎｔｅｒ  ＸＸ−ＸＸＸＸ”から”ＸＸＸ社  ○○−○○○○”に変更されるような場合）、利用者は図１０に示すホームページを通信端末装置１０１に表示し、リモコン２０７によって５０２のラジオボタンを選択する。
【００８８】
さらに、設定ボタン５０５をクリックすることによって、印刷装置指定入力手段２２１は、通信端末装置１０１のＩＰアドレス１９２．１６８．１．１０と５０２のラジオボタンが選択されているという情報が与えられる。
【００８９】
そして、印刷装置指定入力手段２２１は、この情報に基づいて印刷装置を指定する信号４５２（印刷装置指定信号４５２と称す。出力手段指定情報。）を生成し、この生成された印刷装置指定信号４５２をシステム制御部２１１に送信する。
【００９０】
システム制御部２１１は、受信した印刷装置指定信号４５２を情報処理装置１０６に送信する。情報処理装置１０６においては、受信した印刷装置指定信号４５２を印刷装置テーブル変換手段３４３に入力し、その入力された印刷装置指定信号４５２にもとづいて、印刷装置テーブル記憶手段３４３に記憶されている印刷装置テーブルを変更する（すなわち、ここでは、印刷装置指定信号４５２の接続印刷装置に変更があった場合を示す。すなわち、出力手段の対応関係を変更する。）。
【００９１】
図１１はこの印刷装置指定信号４５２の変更後における印刷装置テーブルの一例であり、図７の印刷装置指定信号４５２が図１１に示す印刷装置指定信号４６２のように変更される（図中の例では、ＸＸＸ社○○−○○○○のように変更された）。
【００９２】
情報処理端末１０６において、通信端末装置１０１からの印刷画面情報信号に対応した印刷情報信号は、変更後の印刷装置テーブル（図１１）を参照して生成される。
【００９３】
【発明の効果】
この発明は以上説明したように構成されるので、以下に示すような効果を奏する。
【００９４】
本発明によれば、通信手段に接続される印刷装置に最適な出力情報生成のための処理を、第一のネットワーク上に接続された情報処理手段で行うため、通信手段での処理が簡略化されるとともに、通信手段のコストを下げることができる。
以上
【図面の簡単な説明】
【図１】  実施の形態１〜４のシステム構成図である。
【図２】  実施の形態１〜３の通信端末装置の構成図である。
【図３】  実施の形態１の情報処理装置の構成図である。
【図４】  実施の形態１の通信端末装置における表示画面の一例である。
【図５】  実施の形態２の情報処理装置の構成図である。
【図６】  実施の形態３の情報処理装置の構成図である。
【図７】  実施の形態３の印刷装置テーブルの一例である。
【図８】  実施の形態４の通信端末装置の構成図である。
【図９】  実施の形態４の情報処理装置の構成図である。
【図１０】  実施の形態４の通信端末装置における表示画面の一例である。
【図１１】  実施の形態４の印刷装置テーブルの一例である。
【図１２】  従来の情報処理装置を説明するための説明図である。
【符号の説明】
１０１，１０３  通信端末装置、１０２，１０４  印刷装置、１０５  ＬＡＮ、１０６  情報処理装置、１０７  インターネット網、１０８  ＷＷＷサーバ。
【図１】
0004115070.tif 000002
【図２】
0004115070.tif 000003
【図３】
0004115070.tif 000004
【図４】
0004115070.tif 000005
【図５】
0004115070.tif 000006
【図６】
0004115070.tif 000007
【図７】
0004115070.tif 000008
【図８】
0004115070.tif 000009
【図９】
0004115070.tif 000010
【図１０】
0004115070.tif 000011
【図１１】
0004115070.tif 000012
【図１２】
0004115070.tif 000013